(57)【要約】【課題】  各種ボランティア活動等において使用される、申し込み用紙等のフォーマット用紙上に記載された通し番号や、日付等のデータのみを自動変更して複数枚コピーしたいという要望がある。【解決手段】  コピー機に上記フォーマット用紙を読み込ませた後、簡単な操作で自動変更する部分と変更方法を指示することにより、所望の変更が自動的に行われた複数のコピー出力が得られるコピーシステムを提供することである。【選択図】        図１
2006238323.tif 000002
【特許請求の範囲】
【請求項１】
画像イメージ読み込み機能と表示機能と印刷機能を備える電子機器であって、
読み込んだ画像イメージから文字列領域を分離後、文字認識して文字コード情報群に変換する手段と、
認識された文字コード情報群から、文中ではなく独立して表示されている数値文字列や日付文字列等の文字列情報を抽出して表示する手段と、
上記表示されている数値文字列や日付文字列等の文字列群の中から、更新したい文字列を選択する手段と、
選択された文字列を指定枚数ごとに変更する際の変更方法を指定する手段と、
上記指定された文字列に対して指定された方法で文字列データを更新して指定枚数印刷する手段と、
を有することを特徴とするコピーシステム。
【請求項２】
画像イメージ読み込みユニットから読み込んだイメージデータ中に独立した日付文字列データが含まれていることを検出した場合、その日付文字列データを利用当日の日付データに置き換えることを指示する手段を有することを特徴とする請求項１に記載のコピーシステム。
【請求項３】
画像イメージ読み込みユニットから読み込んだイメージデータ中に独立した日付文字列データが含まれていることを検出した場合、その日付文字列データを指定の日付データに置き換える手段を有することを特徴とする請求項１に記載のコピーシステム。
【請求項４】
自動更新印刷モードで印刷した印刷イメージを登録しておき、後から呼び出して再利用する手段を有することを特徴とする請求項１に記載のコピーシステム。
【発明の詳細な説明】
【技術分野】
【０００１】
本発明は、公共の施設等に設置されたコピーを利用して、読み込んだ原稿上の文字データを検出して文字認識するとともに文字コードに変換し、ユーザの指示に従って、指定された文字列を指定された方法で更新しながら、指定枚数印刷する機能を備えたコピーシステムに関するものである。
【背景技術】
【０００２】
本発明に類似した技術として、読み取り原稿上の文字データを文字認識し、指定の大きさ以下の文字は指定した文字の大きさに自動変換して印刷する技術が開示されているが（例えば、特許文献１参照）、本発明のように読み込んだ文字列データの内容を変更する技術に関するものではない。
【特許文献１】特開２００２−３４２７１５号公報
【発明の開示】
【発明が解決しようとする課題】
【０００３】
各種ボランティア活動等において使用される、申し込み用紙等のフォーマット用紙上に記載された通し番号や、日付等のデータのみを自動変更して複数枚コピーしたいという要望がある。
【０００４】
例えば、前回用意して余った申し込み用紙の中の先頭の通し番号のついた用紙について、コンビニ等身近にあるコピー機を利用して、日付は当日の日付にリプレースし、通し番号は１つづつ増加させて３０枚印刷出力したいという場合がある。
【０００５】
本発明が解決しようとする課題は、上記要望に応えるため、コピー機に上記フォーマット用紙を読み込ませた後、簡単な操作で自動変更する部分と変更方法を指示することにより、所望の変更が自動的に行われた複数のコピー出力が得られるコピーシステムを提供することである。
【課題を解決するための手段】
【０００６】
本発明によるコピーシステムは、上記の課題を解決するための手段として、少なくとも以下の構成を備える。
【０００７】
１、原稿を読み込み、読み取ったイメージを記憶する手段。
【０００８】
２、１で記憶されているイメージデータから文字列領域を分離し、文字認識して文字コード情報群に変換する手段。
【０００９】
３、２の手段によって認識された文字コード情報群から、文中ではなく独立して表示される通し番号や日付フォーマットの文字列データを検出する手段。
【００１０】
４、３の手段によって得た文字列データ群を表示する手段。
【００１１】
５、４の手段によって表示されている文字列データ群の中から、変更したい文字列データを選択する手段。
【００１２】
６、５の選択手段によって選択された文字列データに対して、データ更新する手順を指定する手段。
【００１３】
７、６の手段による指定に従って印刷イメージを作成して印刷する手段。
【発明の効果】
【００１４】
上記背景技術において本発明に類似した技術として紹介した、読み取り原稿上の文字データを文字認識し、指定の大きさ以下の文字は指定した文字の大きさに自動変換して印刷する技術とは異なり、本発明は、読み込んだ文字データの中から、通し番号や日付データなどの文字列を抽出し、その中の指定した文字列に対し、ユーザの指定する方法に従って自動変更して印刷する技術を提供するもので、パソコンを利用せずコピー機本体のみで簡単な修正や自動ナンバリング印刷できるので、より利便性の向上の効果が期待できる。
【発明を実施するための最良の形態】
【００１５】
以下本発明を実施するための最良の形態を、実施例により詳しく説明する。
【００１６】
図１は、本発明の一実施例を示す印刷システムの構成を説明するブロック図であり、コピーシステム１は、入力制御部１００、スキャナ装置１０８、タッチパネルキーボード１０９、印刷制御部３００、印刷装置本体３０７等で構成されている。また、入力制御部１００と印刷制御部３００とは内部接続ケーブル２００を介して接続されている。
【００１７】
図において、１０１はマイクロプロセッサ形態の中央処理装置（ＣＰＵ）であり、例えば図示しないクロックパルス発生回路、遅延回路、ゲート回路、その他の論理回路などを有する順序回路等から構成される。
【００１８】
・１０２は、ＯＳ（オペレーティングシステム）や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されている。
【００１９】
・１０３は読み書き可能なランダムアクセスメモリ（ＲＡＭ）であり、各装置の動作状況を記憶する領域を有するとともに、スキャナ装置から読み込まれた画像データを格納する記憶領域等を有する。１０４〜１０６は、それぞれスキャナコントローラ、タッチパネルキーボードコントローラ、プリンタコントローラであり、各装置の制御を行う。
【００２０】
・１０７はバスラインで、ＣＰＵ１０１、ＲＯＭ１０２、ＲＡＭ１０３、および１０４〜１０６の各種コントローラを電気的に接続し、メモリアドレスやデータを転送する。
【００２１】
・３０１は、印刷制御部側のＣＰＵであり、上記１０１のＣＰＵと同様の構成と機能を備えている。
【００２２】
・３０２は、読み出し専用メモリ（ＲＯＭ）で、ＣＰＵが各部に印刷制御信号を供給する際に、その制御信号をＣＰＵに順次知らせるためのマイクロ命令群が記憶されている。
【００２３】
・３０３は、読み書き可能なランダムアクセスメモリ（ＲＡＭ）であり、各装置の動作状況や後述のページメモリ上に展開された印刷ビットマップイメージデータを記憶する領域を有する。
【００２４】
・３０４は、入力バッファであり、上記プリンタコントローラから送信されてきた印刷データを格納する記憶装置である。
【００２５】
・３０５は、印刷ビットマップイメージを格納するページメモリであり、作成された印刷ビットマップイメージはエンジンインターフェイス３０６を介して印刷部本体３０８に転送される。
【００２６】
・３０６はプリンタエンジンインターフェイスで、転送されてきた印刷データを３０８の印刷装置本体に送信する。
【００２７】
・３０７はバスラインで、ＣＰＵ３０１、ＲＯＭ３０２、ＲＡＭ３０３、３０４印刷バッファ、３０５ページメモリ、３０６プリンタエンジンインターフェイスを電気的に接続し、メモリアドレスやデータを転送する。
【００２８】
図１８は、本発明を適用可能な出力装置を示す断面図であり、例えばカラーレーザビームプリンタ（カラーＬＢＰ）の場合を示す。
【００２９】
図において、７４０はＬＢＰ本体であり、外部に接続されているホストコンピュータから供給される印刷情報（文字コード等）を入力して記憶するとともに、それらの情報にしたがって対応する文字パターンやグラフィックパターン等を作成し、記録媒体である印刷用紙等に像を形成する。７００はＬＣＤやキーボードが配されている操作パネルで、図１上の１０９に対応する。７０１はプリンタの制御ユニット（図１の３００に示した印刷制御部に対応する）で、ＬＢＰ本体７４０全体の制御およびホストコンピュータから供給される文字情報等を解析する。このプリンタ制御ユニット７０１は、主に文字情報に対応する文字パターンのビデオ信号に変換してレーザドライバ７０２に出力する。
【００３０】
レーザドライバ７０２は半導体レーザ７０３を駆動するための回路であり、入力されたビデオ信号に応じて半導体レーザ７０３から発射されるレーザ光７０４をオン・オフ切り替えする。レーザ光７０４は回転多面鏡７０５で左右方向に振らされて静電ドラム７０６上を走査露光する。これにより、静電ドラム７０６上には文字パターンの静電潜像が形成されることになる。この潜像は、静電ドラム７０６周囲に配置された現像ユニット７０７により現像された後、記録紙に転写される。この記録紙にはカットシートを用い、カットシート記録紙はＬＢＰ本体７４０に装着した用紙カセット７０８に収納され、給紙ローラ７０９より搬送ローラ７１０と搬送ローラ７１１とにより、装置内に取り込まれて、静電ドラム７０６に供給される。
【００３１】
そして、現像器７０７によって静電ドラム７０６上に付着されたトナー像は、搬送されてきた記録紙に転写される。その後、記録紙は定着器７１２方向に搬送され、トナーが定着され、最終的に排紙ローラ７１３によって外部に導かれて外部に排紙される。なお、上記現像器７０７や静電ドラム７０６等は例えばＣ（シアン）Ｍ（マゼンダ）Ｙ（イエロウ）Ｋ（ブラック）の色素ごとに処理を行いカラー印刷が可能となるように構成されている。
【実施例】
【００３２】
以下、本発明の一実施例として、図３に示す「○×クラブ入会申し込み書」フォーマット用紙を読み込み、更新候補文字列を検出して一覧表示を行った後、変更希望文字列を選択して変更方法を指定することにより、指定された文字列を自動更新して印刷する手順について、図１〜図１５の参照図面と図１６、図１７のフローチャートを参照して説明する。
【００３３】
まず、図１に示されるコピーシステムにおいて電源を入れると、図１６のフローチャート上のステップＳ１において、内部状態の初期化を行った後、ステップＳ２に移行し図４に示す初期画面をタッチパネルキーボード上に表示する。
【００３４】
ここで、「コピーモード」と「カウンタ更新印刷」は動作モード表示、数値キーボタン群はコピー枚数を指定するための表示、「Ａ５」「Ａ４」「Ａ３」の各ボタン表示は印刷用紙を選択するための表示、“１枚”は指定されたコピー枚数の表示をそれぞれ示す。初期状態ではコピーモードが選択され、また、印刷用紙として「Ａ４」が選択されており選択表示が行われている。
【００３５】
ここでは、印刷用紙の指定やコピー枚数の指定に対しては指定に対応して、記憶と表示変更が行われ、「カウンタ更新印刷」の指示や「開始」ボタン選択が行なわれるまで待機する。
【００３６】
そこで、図３に示す原稿をスキャナ上の読み込み台にセットした後「カウンタ更新印刷」ボタンを選択すると、図１６のフローチャートにおいて、ステップＳ２、Ｓ３、Ｓ６と制御が移行し、ここでスキャナを起動してスキャナ上の原稿を読み込む。
【００３７】
ここで図３に示す原稿を検出するのでステップＳ８に移行し、読み込んだ画像について画像解析、像域分離、及び文字認識した後、数値文字列や日付文字列など更新カウンタ候補を抽出して、例えば図５に示すような一覧表示を行い更新カウンタの選択操作を待機する状態になる。
【００３８】
ここで、候補の中から「２００４年６月１８日」を選択して［選択］ボタン表示をタッチすると、図１６のステップＳ８からＳ９に制御が移行し図６に示す選択カウンタに対応するメニュー画面を表示してパラメータの入力や選択を待機する。
【００３９】
この図６表示状態において、「１、今日の日付を呼び出して固定」を選択して「選択」ボタン表示をタッチすることにより、ステップＳ９からＳ８に移行して図７に示すように、設定された項目であることを示すため「２００４年６月２５日に固定」表示部分が太字表示される。
【００４０】
次に、図７の表示において「２００４−００２０」表示部分をタッチして「選択」ボタン表示をタッチすると、上記と同様の制御を受けてステップＳ９において図８の表示を行う。
【００４１】
ここで、「１、現在のカウンタから＋１／１ページ」表示部分をタッチして「選択」ボタン表示をタッチすると上記と同様の制御を受けてステップＳ８に以降して図９の表示を行う。
【００４２】
そして、図９の表示において［決定］ボタン表示にタッチすると、ステップＳ８からＳ１０に制御が移行し、図１３に示す印刷イメージを図１の１０３のＲＡＭ上に登録した後ステップＳ２に移行し、図１０に示す「カウンタ更新印刷」モードのメニュー画面を表示する。
【００４３】
そこで、数値キー表示にタッチして印刷枚数「３０」を指定することにより図１１に示す表示が行われる。
【００４４】
その後、「開始」ボタン表示にタッチすることにより、図１６においてステップＳ２、Ｓ３、Ｓ４と移行し、ここで「カウンタ更新印刷」モードであるのでステップＳ１１に移行する。ステップＳ１１において、設定印刷仕様に従って印刷イメージを作成するので、図１３に示す印刷イメージがＡ４サイズで作成され、図１の１０６プリンタコントローラの制御の元、２００の内部接続ケーブルを介して印刷制御部上の３０４印刷バッファに送信される。その後、指定されているカウンタ更新指令に従ってカウンタデータが更新される。本実施例では「＋１／１ページ」であるのでカウンタは「２００４−００２１」となる。指定印刷枚数は３０であるので図１４に示す印刷イメージが作成され、上記と同様の制御の元印刷バッファにこのデータが送信される。そして、同様の制御を繰り返し、図１５に示す３０枚目の印刷イメージデータを送信後、印刷データ転送処理を終了してステップＳ２に制御が移行し、図１０に示す表示が行われる。
【００４５】
次に、印刷フォーマットの登録印刷について説明する。
【００４６】
ステップＳ２において図４や図１０の表示を行って指令待ちの状態において、スキャナの読み込み台に原稿を置かないで「カウンタ更新印刷」ボタン表示をタッチすると、ステップＳ２から、Ｓ３、Ｓ６、Ｓ７と制御が移行し、ステップＳ７で登録されている「印刷フォーマットイメージ」を呼び出すので、上記説明中のステップ１０の実行で登録されていた図１２に示す印刷フォーマットイメージが読み出されて表示が行われる。
【００４７】
なお、本実施例の説明では表示されている印刷フォーマットイメージしか登録されていないので、ここで、表示上の「戻」「次」の各表示ボタンをタッチしても表示は変わらない。
【００４８】
そして、［選択］ボタン表示をタッチするとステップＳ７からステップＳ８に移行するので、図９に示す表示を行う。
【００４９】
以後の処理は上記と同様であるが、ステップＳ１０では印刷イメージがすでに登録されているので登録は行わない。
【００５０】
次に、印刷装置における印刷過程の制御について説明する。
【００５１】
印刷制御部における制御過程を説明する図１７のフローチャートにおいて、ステップＳ１２において内部状態を初期化した後ステップＳ１３に移行し印刷バッファ内にデータがあるかどうかを検出するが、上記図１６のステップＳ１１で送信された印刷イメージデータを受信している場合には、これを検出してステップＳ１４に移行して印刷バッファ内に格納されている印刷イメージデータを、図１の３０８の印刷装置本体が解釈実行できる印刷イメージデータ群に変換して３０５のページメモリ内に格納する。そして、格納が終了すると３０６プリンタエンジンインターフェイスを介してページメモリ内の印刷イメージデータが３０８の印刷装置本体に送信されて印刷が実行される。その後ステップＳ１３に移行し次の印刷データ受信待ちとなる。
【図面の簡単な説明】
【００５２】
【図１】本発明の実施の一形態に係るコピーシステムの要部構成を示すブロック図である。
【図２】本発明によるコピーシステム上の各種処理プログラムを格納する記憶媒体のメモリマップを説明する図である。
【図３】本発明の実施の説明に使用する読み込み原稿の一例を示す図である。
【図４】本実施例のコピーシステム上の表示画面例を示す図である。
【図５】本実施例のコピーシステム上の表示画面例を示す図である。
【図６】本実施例のコピーシステム上の表示画面例を示す図である。
【図７】本実施例のコピーシステム上の表示画面例を示す図である。
【図８】本実施例のコピーシステム上の表示画面例を示す図である。
【図９】本実施例のコピーシステム上の表示画面例を示す図である。
【図１０】本実施例のコピーシステム上の表示画面例を示す図である。
【図１１】本実施例のコピーシステム上の表示画面例を示す図である。
【図１２】本実施例のコピーシステム上の表示画面例を示す図である。
【図１３】本実施例の印刷出力結果の一例を示す図である。
【図１４】本実施例の印刷出力結果の一例を示す図である。
【図１５】本実施例の印刷出力結果の一例を示す図である。
【図１６】本実施の形態に係る印刷システムの動作の流れを示すフローチャートである。
【図１７】本実施の形態に係る印刷システムの動作の流れを示すフローチャートである。
【図１８】図１に示すコピーシステムにおける印刷装置本体の縦断面図である。
【符号の説明】
【００５３】
１０１  ＣＰＵ
１０２  ＯＳ／各種制御ソフト内蔵ＲＯＭ
１０３  ＲＡＭ
１０４  スキャナコントローラ
１０５  タッチパネルキーボードコントローラ
１０６  プリンタコントローラ
１０７  システムバス
１０８  スキャナ装置
１０９  タッチパネルキーボード
２００  内部接続ケーブル
３０１  ＣＰＵ
３０２  プログラムＲＯＭ
３０３  ＲＡＭ
３０４  印刷バッファ
３０５  ページメモリ
３０６  プリンタエンジンインターフェイス
３０７  システムバス
３０８  印刷装置本体
【図１】
2006238323.tif 000003
【図２】
2006238323.tif 000004
【図３】
2006238323.tif 000005
【図５】
2006238323.tif 000006
【図６】
2006238323.tif 000007
【図７】
2006238323.tif 000008
【図８】
2006238323.tif 000009
【図９】
2006238323.tif 000010
【図１２】
2006238323.tif 000011
【図１３】
2006238323.tif 000012
【図１４】
2006238323.tif 000013
【図１５】
2006238323.tif 000014
【図１６】
2006238323.tif 000015
【図１７】
2006238323.tif 000016
【図１８】
2006238323.tif 000017
【図４】
2006238323.tif 000018
【図１０】
2006238323.tif 000019
【図１１】
2006238323.tif 000020